(57)【要約】波長分割多重ＷＤＭ光向けの光分波器（１３，３０）であって、波長スペクトル上で間隔をあけて配置された複数の波長チャネル（Ｃｈ1...Ｃｈ１６）を備え、光分波器は、ＷＤＭ光を個別の波長チャネルに分離する。光分波器は、それぞれが複数の隣接波長チャネルを備えた複数のサブバンド（Ｃｈ1...Ｃｈ４、Ｃｈ５...Ｃｈ８、Ｃｈ９...Ｃｈ１２、Ｃｈ１３...Ｃｈ１６）にＷＤＭ光を分離するための第１の分波器であって、複数のサブバンドのそれぞれが分波器（１２）のそれぞれの出力端（１３）に出力される第１の分波器（１２）と、各サブバンドを個別の波長チャネルに分離するための１つ以上の分波器装置であって、各チャネルがそれぞれの出力端（２０）に出力されるような分波器装置（３０）とを備える。１つ又は各分波器装置（３０）は、サブバンドに含まれる全てのチャネルを光増幅する光増幅器（１５）と、サブバンドに含まれるチャネルを分離するための分波器であって、各チャネルがそれぞれの出力端（２０）に出力されるような分波器（１６）と、それぞれの出力端で各チャネル（Ｃｈ1...Ｃｈ４）のパワー（Ｐ１...Ｐ４）を測定するためのパワーモニタ手段（１８）と、各波長チャネルのパワー測定値に依存して、各波長チャネルのパワーを所定のパワーレベルになるように調整するために、光増幅器（１５）の動作を制御するための制御手段（３４）とを備える。
2008503886.tif 000002
【特許請求の範囲】
【請求項１】
波長分割多重ＷＤＭ光向けの光分波器であって、
波長スペクトル上で間隔をあけて配置された複数の波長チャネルを含み、前記光分波器は、ＷＤＭ光を個別の波長チャネルに分離するものであり、前記光分波器は、それぞれが複数の隣接した波長チャネルを含む複数のサブバンドに前記ＷＤＭ光を分離するための第１の分波器（１２）を含み、前記第１の分波器（１２）は、前記複数のサブバンドのそれぞれを該第１の分波器（１２）の各出力端（１３）に出力し、前記光分波器は、各サブバンドを個別の波長チャネルに分離し、分離した各波長チャネルを各出力端（２０）に出力する１つ以上の分波装置（３０）を含み、
前記分波装置（３０）の１つ又はそれぞれは、
前記サブバンドに含まれる全ての波長チャネルを光増幅する光増幅器（１５）と、
前記サブバンドに含まれる波長チャネルを分離し、分離した各波長チャネルを対応する各出力端（２０）に出力する分波器（１６）と、
各出力端で各波長チャネル（Ｃｈ1...Ｃｈ４）のパワー（Ｐ１...Ｐ４）を測定するためのパワーモニタ手段（１８）と、
各波長チャネルのパワーの測定値に依存して、各波長チャネルのパワーを所定のパワーレベルになるように調整するために前記光増幅器（１５）の動作を制御する制御手段（３４）と
を含むことを特徴とする波長分割多重ＷＤＭ光向けの光分波器。
【請求項２】
前記光増幅器（１５）は、エルビウム・ドープト・ファイバ・光増幅器ＥＤＦＡを含み、
前記制御手段（３４）は、各波長チャネルのパワーを予め定められたパワーレベルとなるように調整すべく、前記エルビウム・ドープト・ファイバ・光増幅器ＥＤＦＡに流されるポンプ電流Ｉｐを制御することで前記光増幅器の増幅利得を制御する、請求項１に記載の波長分割多重ＷＤＭ光向けの光分波器。
【請求項３】
前記光増幅器（１５）は、減衰量が可変の光減衰器（１５ｂ）を含み、
前記制御手段（３４）は、各波長チャネルのパワーを予め定められたパワーレベルとなるように調整すべく、前記光減衰器（１５ｂ）における減衰量を制御する、請求項１に記載の波長分割多重ＷＤＭ光向けの光分波器。
【請求項４】
前記分波装置（３０）の１つ又はそれぞれは、
前光増幅器（１５）の入力端の前段に可変光減衰器（３３）を含み、
前記制御手段（３４）は、各波長チャネルのパワーを予め定められたパワーレベルとなるように調整すべく、前記可変光減衰器（３３）における減衰量を制御する、請求項１ないし３のいずれか１項に記載の波長分割多重ＷＤＭ光向けの光分波器。
【請求項５】
前記制御手段は、前記波長チャネルのパワーの測定値に対応する信号を受信し、前記光増幅器を制御するための制御信号を発生するマイクロコントローラ（３４）を含む、請求項１ないし４のいずれか１項に記載の波長分割多重ＷＤＭ光向けの光分波器。
【請求項６】
前記マイクロコントローラ（３４）は、前記光増幅器への入力パワーに対応する信号と前記光増幅器からの出力パワーに対応する信号を受信し、前記光増幅器の増幅利得を算出する、請求項５に記載の波長分割多重ＷＤＭ光向けの光分波器。
【請求項７】
前記マイクロコントローラ（３４）は、前記光減衰器（３３）に対してコマンド信号を送信する、請求項４又は５に記載の波長分割多重ＷＤＭ光向けの光分波器。
【請求項８】
前記マイクロコントローラ（３４）は、前記光増幅器の入力パワーと出力パワーとに基づいて算出された前記光増幅器（１５）の増幅利得の変動を制限するよう前記光減衰器（３３）を制御し、予め定められた動作条件を逸脱しない程度に前記増幅利得の変動を維持する、請求項６又は７に記載の波長分割多重ＷＤＭ光向けの光分波器。
【請求項９】
光アド・ドロップ型の合波器ＯＡＤＭであって、
請求項１ないし８のいずれか１項に記載された前記光分波器と、
入力端（２２）に印加される複数の波長チャネルを合波して複数のサブバンドを形成する１つ以上の合波器（２３）と、
前記複数のサブバンドを合波して、前記光アド・ドロップ型の合波器ＯＡＤＭから出力されるＷＤＭ光を形成する合波器（２８）と
を含み、
前記分波器（１６）の各出力端（２０）を、前記合波器（２８）の対応する各入力端（２２）へと光学的に接続することによって、スルーチャネルが前記光アド・ドロップ型の合波器ＯＡＤＭを通過するように経路設定される、光アド・ドロップ型の合波器ＯＡＤＭ。
【発明の詳細な説明】
【技術分野】
【０００１】
本発明は波長分割多重（ＷＤＭ）方式における光分波器（ＤＥＭＵＸ）とこの光分波器に組み込まれる光アドドロップ合波器（ＯＡＤＭ）ノードに関するものである。より具体的に、本発明はＭＥＴＲＯ（大都市圏）ネットワークに用いられるＯＡＤＭに関するものである。但し、本発明は、これに限定されるものではない。
【背景技術】
【０００２】
良く知られているように、ＷＤＭ光ネットワークはＷＤＭ光信号を導波するための光導波手段、典型的には光ファイバによって相互接続された複数のノードからなる。各ノードでは、１つ以上の選択された波長チャネルを追加（アド／ＡＤＤ）したり、分離抽出（ドロップ／ＤＲＯＰ）したりでき、波長チャネルに基づくノード間のＷＤＭ光信号の経路設定を可能にしている。
【０００３】
しばしばリング配置とよばれる１つのネットワークトポロジーでは、ノードが光ファイバによって接続されるが、その際には、連続したループまたはリング配置によってポイント・ツー・ポイントで順次接続されている。各ノードでは、ネットワークのノード間を相互接続している伝送ファイバによって導波させるＷＤＭ光に選択された波長チャネルをアドしたり、あるいはそれから選択された波長チャネルをドロップしたりするために光アドドロップ合波器（ＯＡＤＭ）が用いられる。
【発明の開示】
【発明が解決しようとする課題】
【０００４】
１つの良く知られたＯＡＤＭは分波モジュールと合波モジュールを備えている。分波モジュールはネットワークから受信したＷＤＭ信号を個々の波長チャネルに、または隣接する波長チャネルのグループ（サブバンド）に分離（分波）し、それらはその後、モジュールのそれぞれの出力（ＤＲＯＰ）ポートに出力される。典型的には分波モジュールは光フィルタのアレイ（ＤＲＯＰフィルタ）を備え、合波モジュールは1つ以上のＡＤＤフィルタを備えている。合波モジュールはその入力（ＡＤＤ）ポートに加えられた波長チャネルを合波するために用いられる。そのようなＯＡＤＭで１つ以上の選択された波長チャネルをそのノードを光のまま通過させること（スルーチャネル）が望まれる場合には、分波モジュールの適当な光ＤＲＯＰポートを合波モジュールの対応する光ＡＤＤポートへ光ファイバパッチコード（ある長さの光ファイバ）で接続される。そのようなＯＡＤＭの主要な制限は（スルーチャネルは多段のＤＲＯＰフィルタを通過しなければならないので）スルーチャネルの経路にあるフィルタ損失の合計が大きいことである。このため、光送信器によって直接発生し（通常は望まれる出射パワーは０ｄＢｍである。）、このノードで新たにアドされる他の波長チャネルに比べてスルーチャネルのＡＤＤフィルタへ入力される光出射パワーが低減してしまう。この問題を克服するために、ノードがスルーチャネルのための光増幅器を内蔵する技術が知られている。１つの構成では、光増幅器が各チャネルベースで備えられる。光増幅器の数を低減するために、サブバンド（ＷＤＭチャネルの全数の中の或る波長チャネル群）ごとに１つの光増幅器を設け、サブバンドの各チャネルのパワーを平坦化するためにそれぞれの可変光減衰器（ＶＯＡ）を用いることが提案されてきた。
【０００５】
しかしながら大都市圏（ＭＥＴＲＯ）ネットワークでは、経済的に考えると、各チャネルベースで増幅器を設ける構造やサブバンドごとに１つの光増幅器を設ける構造でさえも許容できないほどに高価になってしまう。このために現行のサブバンドでの実用化技術では、単一チャネルごとに増幅される光パススルー方式をＭＥＴＲＯネットワークに必要な実現性のある費用で実現できない。
【課題を解決するための手段】
【０００６】
本発明は、上記の欠陥を少なくとも部分的には克服することを目指して、正しいチャネルパワーを維持しながら光通過（パススルー）動作を可能とする、光ネットワーク内の分波器とアド・ドロップ・ノードを提供しようとする研究努力の中で生まれたものである。
【０００７】
本発明によれば、波長分割多重ＷＤＭ光に対する光分波器であって、
（１）波長スペクトル上で間隔をあけて配置された複数の波長チャネルを有し、光分波器によってＷＤＭ光を個別の波長チャネルに分離され、
（２）それぞれが複数の隣接波長チャネルを備えた複数のサブバンドにＷＤＭ光を分離するための第１の分波器であって、複数のサブバンドのそれぞれが分波器のそれぞれの出力端に出力される第１の分波器と、
（３）各サブバンドを個別の波長チャネルに分離するための１つ以上の分波器装置であって、各波長チャネルがそれぞれの出力端に出力されるような分波器装置と
を備え、さらに、１つ又は各分波器装置が
（i）サブバンドの全てのチャネルを光増幅するための光増幅器と、
（ii）サブバンドのチャネルを分離するための分波器であって、各チャネルがそれぞれの出力端に出力されるような分波器と、
（iii）それぞれの出力端で各チャネルのパワーを測定するためのパワーモニタ手段と、
および
（iv）各波長チャネルのパワー測定値に依存して、各波長チャネルのパワーを所定のパワーレベルになるように調節するために、光増幅器の動作を制御する制御手段と
を備えることを特徴とする光分波器が提供される。
【０００８】
前記光増幅器はエルビウム・ドープト・ファイバ・増幅器（ＥＤＦＡ）であり、制御手段は各波長チャネルのパワーを所定のパワーレベルに制御するために増幅器の利得を制御すべく、ＥＤＦＡのポンプ電流Ｉｐを制御するように動作するのが好適である。代替案としては、光増幅器が可変減衰光減衰器を含でんでもよい。この場合、制御手段は減衰器の減衰を制御して各波長チャネルのパワーが所定のパワーレベルになるように調整するように動作する。
【０００９】
１つ又は各分波器装置は、光増幅器の入力の前に可変光減衰器をさらに備え、制御手段は減衰器の減衰を制御して各波長チャネルのパワーが所定のパワーレベルになるように調整するように動作するのが好適である。
【００１０】
制御手段が、波長チャネルのパワーの測定値に対応する信号を受けて、光増幅器を制御する制御信号を発生するように動作するマイクロコントローラを備えているのが便利である。このマイクロコントローラは、光増幅器への入力パワーと増幅器からの出力パワーに対応する信号を受けて、増幅器のパワー利得を計算するようにさらに動作するのが有利である。さらに、マイクロコントローラは命令信号を入力減衰器に送信するように動作して、入力の可変減衰器を制御して、光増幅器の入力および出力パワーに基づいて計算される光増幅器の利得変動を制限し、利得変動を所定の動作条件内に維持するように動作するのが好適である。
【００１１】
本発明の第２の側面によれば、光アドドロップ合波器（ＱＡＤＭ）であって、
本発明の第１の側面による分波器を備え、
入力に印加された波長チャネルをサブバンドに纏めるための１つ以上の合波器と、
サブバンドを纏めてＱＡＤＭの出力であるＷＤＭ光を出射する１つの合波器と
をさらに備え、
スルーチャネルは分波器のそれぞれの出力を合波器の対応する入力へ光結合することによってＯＡＤＭを通過する経路を採用することを特徴とする光アドドロップ合波器（ＱＡＤＭ）が提供される。
【００１２】
本発明をよりよく理解するために本発明によるＱＡＤＭをここで図を参照しながら記述するが、これは例示だけを目的とするものである。
【発明を実施するための最良の形態】
【００１３】
図1を参照するとＭＥＴＲＯ用ＷＤＭリングネットワークのノード１０に用いられる、本発明によるＯＡＤＭのブロック図が示されている。例示のために、ネットワークは、２００ＧＨｚ間隔の（λ１からλ１６までの）１６の波長チャネルをもち、（光搬送波である）各波長チャネルは１０ＧＨｚの通信信号で変調された高密度波長分割多重（ＤＷＤＭ）光ネットワークである。しかしながら本発明は他のＷＤＭネットワークアーキテクチャーや、チャネル数やチャネル間隔の異なる他のネットワークにも適用できることを理解できるであろう。以下の記述では、本発明によるＤＥＭＵＸ装置は１つの波長チャネルがドロップ（分離抽出）又はアド（追加）され、あるいは再生されて、３つの波長チャネルが通過するようになっている。
【００１４】
（不図示の）ネットワークのリンクを備えた光ファイバ１１は入力のＷＤＭスペクトルを隣接波長チャネル群であるサブバンドに分離する既知の光分波器１２に接続される。製造が容易となるように、光分波器は容易に入手可能な１：８の低密度波長分割多重（ＣＷＤＭ）ＤＥＭＵＸモジュールであるのが有利である。その光分波器は、記述例ではＣとＬバンドだけを考慮しているが、ＷＤＭスペクトルを８つのサブバンドに分離する。その結果、１６ＤＷＤＭチャネルは各４つのチャネルを持つ４つのサブバンドに分割される。例えば、搬送波波長がそれぞれλ1...λ４、λ５...λ８、λ９...λ１２、λ１３...λ１６のＣｈ1...Ｃｈ４、Ｃｈ５...Ｃｈ８、Ｃｈ９...Ｃｈ１２、Ｃｈ１３...Ｃｈ１６となる。ＣＷＤＭ用ＤＥＭＵＸは８個の光出力１３１、...−１３８を持ち、出力１３１...１３４に４つのサブバンドが出力される。
【００１５】
さて、1つのサブバンド（Ｃｈ1...Ｃｈ４）に対する、本発明によるＤＥＭＵＸアーキテクチュア３０を説明しよう。そのサブバンドは、例えば、λ＝１５５１ｎｍを中心とするＲＥＤ  Ｃバンドとし、ＷＤＭスペクトル／サブバンドの残りの部分とは独立に増幅される。このサブバンドはＣＷＤＭ用ＤＥＭＵＸ１２の対応する出力端１３１から抽出され、光増幅器１５によって光増幅される。その増幅器はエルビウム・ドープト・ファイバ・増幅器（ＥＤＦＡ）を備えるのが有利である。
【００１６】
光増幅器１５の出力は１：４のＤＷＤＭ用ＤＥＭＵＸ１６に印加され、そこでサブバンドは個別のチャネルに分離され、各チャネルはそれぞれの出力（ＤＲＯＰポート）２０から出射される。１：４のＤＷＤＭ用ＤＥＭＵＸ１６はチャネルを空間的に分離するための既知フィルタ（ＤＲＯＰフィルタ）１７と、各チャネルの信号の存在をモニタするためと各チャネルのパワーレベルを測定するための、フィルタ出力に接続された集積化パワーモニタ（ＩＰＭ）１８とを備えている。
【００１７】
ＩＰＭ１８からのパワー・レベル・データはフィードバック装置１９に入力され、そこで、リンク損失を補償し、各ＤＲＯＰポート２０における各チャネルパワーがほぼ０ｄＢｍである大略同一の出力光パワーを確保するように、増幅器１５の動作を制御するために用いられる。増幅器のフィードバック制御構造については図２を参照して、後に詳しく説明する。
【００１８】
チャネルパワーの測定値に依存して制御される光増幅器１５とＤＷＤＭ用ＤＥＭＵＸ１６との組み合わせは、チャネルパワーの等化すなわち平坦化が可能な分波器３０を単一の増幅器を用いて実現可能とするものであることは理解されよう。
【００１９】
それぞれのＤＲＯＰポート２０にて出力される各チャネルはノードを通過してネットワークに戻るものも、あるいはこのノードで受信（ドロップ）されるものもある。前者の場合、分波器１６のＤＲＯＰポート２０と合波器２３の対応するＡＤＤポート（入力）２２とを光ファイバパッチコード２１を用いて光学的に結合することにより、このチャネルは光のままでノードを通過することができる。図1に示した例では合波器２３は４：１のＤＷＤＭ用ＭＵＸであり、サブバンドのうちの３つのチャネル（Ｃｈ1...Ｃｈ３）はそれぞれの光ファイバによって通過するチャネルである。1つのチャネル（図１のＣｈ４）を抽出したいときには、ＤＲＯＰポート２０は例えば１０Ｇｂ／ｓＰＩＮ（Ｐ型−真性ーＮ型）接合フォトダイオードである受信器（ＲＸ）２４に直接接続される。受信器２４のところで正しいチャネルパワーレベルを確保するためには、そのチャネルを固定減衰光減衰器２５に通してパワーを０ｄＢｍから受信器に適当なレベルまで低減するのが有利である。図１に示す実施例ではサブバンドの中の１つのチャネル（Ｃｈ４）が受信される。
【００２０】
同様にして、例えば送信器（ＴＸ）２６によって発生しノードにアド（追加）されるべきチャネルは、ＤＷＤＭ用ＭＵＸ２３のＡＤＤポート２２のそれぞれに光学的に接続される。送信器はレーザモジュールから発生した光搬送波を変調するために電界吸収型変調器（ＥＡＭ）を含むのが有利である。チャネルを受信器２４へドロップさせ、その検出信号を用いて送信器２６のＥＡＭを動作させることによってチャネルは再生できる。
【００２１】
ＤＷＤＭ用ＭＵＸ２３は（３つの通過チャネルＣｈ1...Ｃｈ３と１つのＡＤＤチャネルＣｈ４）の４チャネルを結合してサブバンドを形成し、８：１のＣＷＤＭ用ＭＵＸ２８の各入力２７に印加される。ＣＷＤＭ用ＭＵＸ２８はサブバンドを纏めてＷＤＭ光を形成し、ノードからネットワークの次のリンクを構成する光ファイバ２９へ出力される。この例では、製造を容易ならしめるために、８：１ＭＵＸが用いられ、１６の波長チャネルと４つのサブバンドがあるが、４つの入力２７１...２７４は用いられていない。
【００２２】
本発明によれば、チャネルが最終的にドロップ若しくは再生されるか又は通過（パススルー）となるかに関わらず、各チャネルのパワーをモニタすることで、各チャネルの出力パワーの完全なる管理が可能となる。本発明の、サブバンドあたり1つの増幅器を備え、自己平坦化機能を持つ分波器装置３０は、多くの高額のＶＯＡ（参考：既知のＯＡＤＭは、通常は各チャネルに対して光送信器ＴＸに１つのＶＯＡと光受信器ＲＸに１つのＶＯＡを必要とする。）と、光送信器内にマッハ・ツエンダー変調器（ＭＺＭ）とアバランシェ・フォト・ダイオード（ＡＰＤ）光受信器とを備えた、許容できないほどに高額のＤＷＤＭ光カードとを用いることなく、ＯＡＤＭリングを実現できる利点がある。これと比べると本発明は、送信器ＴＸ内に比較的安価な電界吸収型変調器（ＥＡＭ）と受信器ＲＸにＰＩＮフォトダイオードを用いることを可能とするものである。本発明の分波器装置３０は既知のサブバンドＯＡＤＭ装置の、各チャネルベースの光通過とチャネル等化による接続問題の制限を克服するものである。
【００２３】
前記の記述は単一のサブバンド（Ｃｈ1...Ｃｈ４）を参照しているが、分波器装置３０は、各サブバンドに対して１つの分波装置が備え、ＣＷＤＭ用ＤＥＭＵＸ１２とＤＷＤＭ用ＭＵＸ２３のそれぞれの出力１３と入力２２の間に接続されたところの残りのサブバンドに対しても同じように用いることができることは理解されるであろう。
【００２４】
図２を参照すると、自己平坦化増幅器装置を備えた分波器装置３０のブロック表示が示されている。この図の中で破線は電気信号を伝送する接続（コネクション）を示すために用いられ、実線は光信号を伝送する接続を示すために用いられている。ＤＷＤＭ用ＤＥＭＵＸ１６は各チャネルＣｈ１，Ｃｈ２，Ｃｈ３，Ｃｈ４に対するパワーの測定値Ｐ１，Ｐ２，Ｐ３，Ｐ４を出力する各集積化パワーモニタ１８のそれぞれの出力３１を含んでいる。これらパワーの測定値は、パワーの測定値を既知のＡＤＣ／ＤＡＣ（アナログからディジタルへ変換／ディジタルからアナログへ変換）インターフェース装置３２のＡ／Ｄ変換入力に印加することによってパワーを表わすディジタル値に変換される。光増幅器１５は増幅器への全光入力パワーＰiと出力パワーＰoを測定するための集積化パワーモニタを含み、これらの測定値もＡＤＣ／ＤＡＣデバイス３２によってディジタルデータ値に変換される。
【００２５】
デバイス３２のＤ／Ａ変換出力は増幅器に接続されて、増幅器のポンプ電流を制御するためのＩｐ値を送る。サブバンドの入力端と増幅器１５の間にＶＯＡ３３が設けられており、その減衰量はデバイス３２の他のＤ／Ａ変換出力から送られる信号Ａｔｔによって制御される。
【００２６】
ＡＤＣ／ＤＡＣインターフェースデバイス３２はマイクロコントローラ３４に接続されていて、それはインターフェースデバイスからの入力信号Ｐ１，Ｐ２，Ｐ３，Ｐ４，ＰiおよびＰoの処理を行って制御信号ＡｔｔとＩｐを発生するようにプログラムされている。
【００２７】
動作中はマイクロコントローラは４つのチャネル（Ｃｈ１...Ｃｈ４）の出力パワー（Ｐ１...Ｐ４）を制御して、それぞれが規定の出射パワー範囲内（通常は全ての条件下で０ｄＢｍ）にあることを保障する。マイクロコントローラは増幅器１５のポンプ電流ＩｐとＶＯＡ３３の光減衰を最適化して前記の条件を達成する。信号Ｐ１...Ｐ４は各チャネルに光信号が存在するかどうかを検出するとともに、チャネルの光パワーを制御するための帰還（フィードバック）信号を提供するために利用される。
【００２８】
ＥＤＦＡ１５を適切に設計することと、入力ＶＯＡ３３の減衰量を適当に制御することにより、動作条件の全てに亘って増幅器の利得（Ｐo／Ｐi）のいかなる変動も制限することとによって、サブバンド全体に亘ってほぼ平坦な利得が得られる。例えば、通常のＭＥＴＲＯ用ＯＡＤＭリング応用に対しては、Ｐoで制御された単一ポンプＥＤＦＡを用いて、利得平坦化フィルタ（ＧＦＦ）を用いることなく、ＲＥＤ  Ｃ  バンド（１５５１ｎｍ±７ｎｍ)において±０．５ｄＢ以下の利得の平坦性と、雑音指数５ｄＢを以って１７から３０ｄＢの利得可変幅が達成できる。
【００２９】
等業者には容易に想像できるように、他のバンドにおける類似特性の増幅器は少しばかりより複雑なアーキテクチュアを必要とする（例えば利得平坦化フィルタなどを用いる。）。
【００３０】
より正確な利得平坦性（例えば±０．２ｄＢ）を達成することが求められる場合、光増幅器１５はＥＤＦＡ１５aの出力端とＤＷＤＭ用ＤＥＭＵＸ１６の入力端の間に接続されるＶＯＡ１５ｂをさらに含んでもよい。ＥＤＦＡのポンプ電流Ｉｐを変えるのではなく、関係する光バンドの全体に亘ってＥＤＦＡの利得を維持するためにＥＤＦＡのポンプ電流Ｉｐを一定に保ち、ＶＯＡ１５ｂの減衰を全光パワーの制御のために用いる。
【００３１】
送信器ＴＸにＥＡＭレーザを利用する１０Ｇｂ／ｓ光カードを用いると、送信器にて出射されるパワーの変動が非常に小さくなるような状況を確保できる（典型的には、出射パワーは全ての条件下で０から＋２ｄＢｍで変化するのみであることがわかった。）。
【００３２】
増幅器利得の良好な平坦性と出射パワーの変動が制限されることとを組み合わせて、各光カードの送信器と受信器の両方の側のＶＯＡが不要となり、それによってノードの挿入損失を大幅に低減でき、同様に重要なことにコストも削減できる。本発明によるＯＡＤＭを用いると、２００ｋｍ以上の長さの、６個までのノードを持つ（５本の光パススルーをもつ）ＭＥＴＲＯ向けのＯＡＤＭリングを実現可能となる。
【００３３】
本発明による単一増幅器を備えた自己平坦化分波器の他の利点は、１０Ｇｂ／ｓの受信器カードに高価ではないＰＩＮフォトダイオードを用いることができるということである。
【００３４】
前記した制御機能を実行することに加えて、マイクロコントローラは、例えば次のような色々な故障条件を検出して処理するように構成される。
【００３５】
・Ｐiが所定の最小値Ｐi_minimum未満に低下したときに検出される入力信号の損失。
【００３６】
・Ｐiが所定の最大値Ｐi_maximumを超えたときに検出される過大な入力パワー。
【００３７】
・増幅器の所要の利得平坦性を確保するのに必要な規定範囲をはみ出した増幅器の利得Ｐ０／Ｐｉ。
【００３８】
・規定の出射パワー範囲を逸脱したいずれかのチャネル（Ｐ１、Ｐ２、Ｐ３またはＰ４）の出力パワー。
【００３９】
・パワーＰ１、Ｐ２、Ｐ３、Ｐ４が規定の閾値以下であるときに検出されるチャネルの光信号の不在。
【００４０】
検出した故障条件に依存して、マイクロコントローラは処理のための色々な決定を行う。例えば、マイクロコントローラが入力信号の損失を検出したときは、増幅器１５のポンプ電流Ｉｐを遮断して、その後、入力パワーＰｉがもう一度再び所定の最小値を超えると検出されたときに滑らかにパワー上昇を図る手順を執り行うのが有益である。そのような装置はチャネルＣｈ１...Ｃｈ４上の光パワーの過渡現象を回避することになる。
【００４１】
いまや明らかなように、ＣＷＤＭサブバンド内のチャネルの良好なるパワー等化を維持しつつ、アド・ドロップフィルタにおける光接続と損失を単一の光増幅器で補償することができる解決手段を入手可能としたことによって本発明の目的は達成された。これによりパススルーチャネルとチャネルパワーの自己平坦化機能を備えたＯＡＤＭを、ＭＥＴＲＯリングネットワークで用いるのに十分に安価で実現できる。
【図面の簡単な説明】
【００４２】
【図１】本発明によるＱＡＤＭを取り入れたＷＤＭ光ネットワークのノードのブロック図である。
【図２】本発明による分波器のブロック図である。
【図１】
2008503886.tif 000003
【図２】
2008503886.tif 000004
【手続補正書】
【提出日】平成18年8月16日(2006.8.16)
【手続補正１】
【補正対象書類名】特許請求の範囲
【補正対象項目名】請求項１
【補正方法】変更
【補正の内容】
【請求項１】
波長分割多重ＷＤＭ光向けの光分波器であって、
波長スペクトル上で間隔をあけて配置された複数の波長チャネルを含み、前記光分波器は、ＷＤＭ光を個別の波長チャネルに分離するものであり、前記光分波器は、それぞれが複数の隣接した波長チャネルを含む複数のサブバンドに前記ＷＤＭ光を分離するための第１の分波器（１２）を含み、前記第１の分波器（１２）は、前記複数のサブバンドのそれぞれを該第１の分波器（１２）の各出力端（１３）に出力し、前記光分波器は、各サブバンドを個別の波長チャネルに分離し、分離した各波長チャネルを各出力端（２０）に出力する１つ以上の分波装置（３０）を含み、
前記分波装置（３０）の１つ又はそれぞれは、
前記サブバンドに含まれる全ての波長チャネルを光増幅する光増幅器（１５）と、
前記サブバンドに含まれる波長チャネルを分離し、分離した各波長チャネルを対応する各出力端（２０）に出力する分波器（１６）と、
各出力端で各波長チャネル（Ｃｈ1...Ｃｈ４）のパワー（Ｐ１...Ｐ４）を測定するためのパワーモニタ手段（１８）と、
各波長チャネルのパワーの測定値に依存して、各波長チャネルのパワーを所定のパワーレベルになるように調整するために前記光増幅器（１５）の動作を制御する制御手段（３４）と
を含む、波長分割多重ＷＤＭ光向けの光分波器。
【国際調査報告】
2008503886.tif 000005
2008503886.tif 000006
2008503886.tif 000007